(57)【要約】    【課題】  防犯性に優れるとともに適用範囲の広い、安価な開閉戸用暗証番号錠及び開閉戸用暗証番号錠を用いた防犯戸システムを提供すること。    【解決手段】  暗証番号錠１０は、外枠１９の内側に配列された複数のスライド板と、スライド板に対してほぼ直角方向に移動可能であり、少なくとも一端が外枠１９から突出しているロック用部材１６とを含み、スライド板が、等間隔に設けられた複数の番号に対応する位置のいずれかの箇所に、ロック用部材１６が通る大きさの解錠用開口部を備え、前面パネル１８、又は前面パネル１８及び後面パネルにスリット１８ａを備え、スライド板に設けられた位置合わせ用ノブ１５がスリット１８ａから突出し、ノブ１５を操作することにより、スリット１８ａに沿ってスライド板を移動させることが可能であり、暗証番号に対応していない位置のスライド板によって、ロック用部材１６の移動が阻止されるように構成されている。【選択図】  図１
0003107139.tif 000002
【実用新案登録請求の範囲】
【請求項１】
手動で暗証番号の位置合わせがを行われるう暗証番号錠であって、
外枠と、該外枠の内側にほぼ平行に配置列された複数のスライド板と、複数の前記スライド板が暗証番号通りに並べられた時に、前記スライド板に対してほぼ直角方向に移動可能であり、少なくとも一端が前記外枠から突出している棒状又は板状のロック用部材とを含んで構成され、
それぞれの前記スライド板が、等間隔に設けられた複数の番号に対応する位置のいずれかの箇所に、前記ロック用部材が通る大きさの解錠用開口部を備え、
前記外枠の前面に位置する前面パネル、又は該前面パネル及び前記外枠の後面に位置する後面パネルにおける前記スライド板の端面に対応する位置にスリットが設けられ、
前記スライド板に設けられた位置合わせ用ノブが前記スリットから突出し、前記位置合わせ用ノブを操作することにより、前記スリットに沿って前記スライド板を移動させることが可能であり、
複数の前記スライド板のうち、暗証番号に対応する位置に並べられていないスライド板によって、前記ロック用部材の移動が阻止されるように構成されていることを特徴とする開閉戸用暗証番号錠。
【請求項２】
前記前面パネル、前記後面パネル又は前記外枠の側面部を取り外し、複数の前記スライド板の順序を並べ替えることにより、暗証番号を変更することができるように構成されていることを特徴とする請求項１記載の開閉戸用暗証番号錠。
【請求項３】
前記スライド板に設けられた前記解錠用開口部が、前記ロック用部材が通る大きさの貫通孔であることを特徴とする請求項１又は請求項２記載の開閉戸用暗証番号錠。
【請求項４】
前記スライド板に設けられた前記解錠用開口部が、前記ロック用部材側に開口するコの字形であり、前記ロック用部材の側面に、前記コの字形の開口部を通る大きさの突起が設けられていることを特徴とする請求項１又は請求項２記載の開閉戸用暗証番号錠。
【請求項５】
２枚の引き違い戸を閉めた時に、前記引き違い戸が重なる位置の室内側の枠部に取り付けられる開閉戸用暗証番号錠であって、
前記ロック用部材が、その先端部に、前記２枚の引き違い戸を施錠するクレセント錠が施錠された状態で、該クレセント錠の操作用レバーの回転を阻止する回転阻止部を備えていることを特徴とする請求項１〜４のいずれかの項に記載の開閉戸用暗証番号錠。
【請求項６】
２枚の引き違い戸を閉めた時に、前記引き違い戸が重なる位置の室内側の枠部に取り付けられる開閉戸用暗証番号錠であって、
前記ロック用部材が、その先端部に、
前記２枚の引き違い戸が重なる位置の枠部を貫通して引き違い戸相互の動きを止めるためのサブロック錠の引き出しを阻止する引き出し阻止部を備えていることを特徴とする請求項１〜４のいずれかの項に記載の開閉戸用暗証番号錠。
【請求項７】
前記スライド板が２つのグループに分割され、各グループが複数のスライド板を備え、
それぞれの前記グループに対応して前記ロック用部材が設けられ、前記ロック用部材が、それぞれの前記グループ側の外枠から突出し、
前記ロック用部材の移動が、それぞれの前記グループの複数のスライド板のうち、暗証番号に対応する位置に並べられていないスライド板によって阻止されるように構成されていることを特徴とする請求項１〜４のいずれかの項に記載の開閉戸用暗証番号錠。
【請求項８】
前記スリットが、前記前面パネル及び前記後面パネルに設けられ、
前記スライド板の位置合わせ用ノブが前記前面パネル及び前記後面パネルのスリットに対応する位置に設けられ、
前記スライド板が前面パネル側及び後面パネル側の両面から操作可能に構成されていることを特徴とする請求項３記載の開閉戸用暗証番号錠。
【請求項９】
前記スリットが、前記前面パネル及び前記後面パネルに設けられ、
前記スライド板の位置合わせ用ノブが前記前面パネル及び前記後面パネルのスリットに対応する位置に設けられ、
前記スライド板が前面パネル側及び後面パネル側の両面から操作可能に構成され、
前記スライド板が２つのグループに分割され、各グループが複数のスライド板を備え、
それぞれの前記グループに対応して前記ロック用部材が設けられ、前記ロック用部材が、それぞれの前記グループ側の外枠から突出し、
前記ロック用部材移動が、対応するそれぞれの前記グループの複数のスライド板のうち、暗証番号に対応する位置に並べられていないスライド板によって、阻止されるように構成されていることを特徴とする請求項３記載の開閉戸用暗証番号錠。
【請求項１０】
引き違い戸と、前記引き違い戸の周縁枠を支持する枠体と、該枠体に取り付けられた請求項１〜４のいずれかの項に記載の暗証番号錠と、前記引き違い戸が閉められた状態で、前記ロック用部材が、前記枠体に固定されたロック用部材受け部及び前記引き違い戸の枠部に固定されたロック用部材受け部の両者に挿入されることにより、前記引き違い戸が施錠されるように構成されていることを特徴とする防犯戸システム。
【請求項１１】
引き違い戸と、前記引き違い戸が閉められた時に重なる位置の戸の枠部に取り付けられた請求項１〜４のいずれかの項に記載の暗証番号錠と、前記引き違い戸が重なる位置の戸の枠部を貫通して施錠するねじ込み式又は棒状部材を挿入する挿入式の錠とを含んで構成された防犯戸システムであって、
前記錠が施錠された後、前記錠の操作部の回転又は引き出しを、前記ロック用部材によって阻止することができるように構成されていることを特徴とする防犯戸システム。
【請求項１２】
前記引き違い戸が意匠戸であり、前記暗証番号錠の操作面が室内側に面して取り付けられていることを特徴とする請求項１０又は請求項１１記載の防犯戸システム。
【請求項１３】
ドア外枠に組み込まれた請求項８又は請求項９記載の開閉戸用暗証番号錠と、前記ドア外枠とドアとの間をロックするデッドボルトと受座とを含むロック部とを備えた施錠手段を含んで構成された防犯戸システムであって、
前記デッドボルトが前記ドア側、前記受座が前記ドア外枠側、又は前記デッドボルトが前記ドア外枠側、前記受座が前記ドア側に固定され、
前記開閉戸用暗証番号錠が、前記デッドボルトの上方及び／又は下方に位置するように配設され、
ロック状態にセットされた前記デッドボルトの移動が、前記開閉戸用暗証番号錠のロック用部材によって阻止されるように構成されていることを特徴とする防犯戸システム。
【請求項１４】
前記開閉戸用暗証番号錠が、請求項９記載の開閉戸用暗証番号錠であり、
前記デッドボルトと受座とを含むロック部が、前記開閉戸用暗証番号錠の上方及び下方に設けられていることを特徴とする請求項１３記載の防犯戸システム。
【請求項１５】
ドアを組み込むドア外枠と、
該ドア外枠に開閉自在に連結され、来訪者との対応が可能な開口部が形成された外側ドアと、
前記ドア外枠に開閉自在に連結され、前記外側ドアと一体化された状態で前記ドア外枠に取り付けられた内側ドアと、
前記外側ドアに配設された第１の施錠手段と、前記内側ドアに配設された第２の施錠手段とを含んで構成された防犯戸システムであって、
少なくとも前記外側ドアの第１の施錠手段が、請求項１３又は請求項１４に記載の施錠手段によって構成されていることを特徴とする防犯戸システム。
【考案の詳細な説明】
【技術分野】
【０００１】
本考案は開閉戸用暗証番号錠及び防犯戸システムに関し、より詳細には、防犯性に優れるとともに適用範囲の広い、安価な開閉戸用暗証番号錠及びこの開閉戸用暗証番号錠を用いた防犯戸システムに関する。
【背景技術】
【０００２】
最近、空き巣等の犯罪が増加してきており、住宅などの施錠されている窓の引き違い戸、玄関などの扉を開けて建物内に侵入する手口が使われることが少なくない。例えば、引き違い戸の場合は、クレセント錠などで施錠されている錠の近くのガラス板を割って、手が入る程度の開口部を作り、そこから内側へ手を入れてクレセント錠などを解錠するという方法が使われることが多い。また、玄関などのシリンダケースロック錠の場合は、キーによる施錠部は比較的簡単に開けられてしまい、サムターンでロックされている場合でも、サムターン回しという手口で開けられることが少なくない。
このように、たとえ施錠されていたとしても、外部から屋内へ比較的簡単に侵入されてしまうというのが実態である。
【０００３】
上記のような方法を含む様々な手口を使って建物内に侵入されることを防止するために、多くの防犯グッズが提案され、また市販されている。そのような防犯グッズのひとつに暗証番号錠がある。扉の施錠に使われる暗証番号錠には、電気的手段を利用するものが多く、例えば、暗証番号の記憶手段と、電子キーと、電子キーから送られてくる信号を受信する受信手段とを用いる「電子錠および電子キー」（特許文献１）、デッドボルトなどの施錠手段をキーによって動かす機械式錠前装置と、暗証番号、指紋等の個人情報を照合する照合手段と、機械的錠前装置の施錠手段の駆動を制止する制止手段とを備えた「複合錠前装置」（特許文献２）などが提案されている。また、テンキーから暗証番号を入力するもので、補助錠として利用することができるディジタルロックなどと呼ばれる暗証番号錠も市販されている。このような従来の暗証番号錠は、主として玄関などの主要な開閉戸を対象に設計されているものなど、その他のタイプのものでも比較的高価である。
【０００４】
空き巣は、上記のように、引き違い戸のガラス板の一部を割ってクレセント錠を解錠したり、サムターンを外部から回したりすることによって、建物内に侵入することが多い。ガラスの一部が割られてもクレセント錠が解錠できないようにしたり、サムターンが外部から操作しされても回らないようにしたりするために、それらのノブの部分を内側から暗証番号錠でロックしておくことは、有効な防犯手段である。しかし、現在市販されている暗証番号錠は比較的高価であり、一般の家庭で外部に面するすべての戸に暗証番号錠を取り付けることは経済的な負担が大き過ぎるので、より安価な暗証番号錠が求められている。
【０００５】
また、本本件出願人は、先に防犯性を具備しながら審美性にも優れた防犯意匠戸システムを提案した（特許文献３及び特許文献４参照）。特許文献３及び４に開示されている意匠戸は、意匠戸の内側にあるガラス戸が解放されていて屋外の新鮮な空気を屋内に取り入れている状態でも、高い防犯性を備えた一種の格子戸である。この意匠戸は、外部から内側へ少しは手を入れることができるので、例え手を入れても、意匠戸が開かないようにするために、外部からでは解錠することが難しい施錠手段を備えているものである。特許文献４には、その施錠手段として、屋外からでは操作できない暗証番号錠を用いたる例がを示されているした。特許文献４には、暗証番号錠としては、市販されているタイプのものを例として示したが、この防犯意匠戸システムの場合にも、高い防犯性を維持しつつ、安価な暗証番号錠を利用可能なことがより望ましい。
【０００６】
上記のように、窓の引き違い戸、玄関などの扉、防犯意匠戸など多くの開閉戸の施錠装置として利用可能であり、防犯性に優れ、安価な暗証番号錠が求められている。
【特許文献１】特開平８−１８４２３３号公報
【特許文献２】特開平８−６０９１４号公報
【特許文献３】実用新案登録第３０９２２５４号
【特許文献４】実用新案登録第３０９９８０３号
【考案の開示】
【課題を解決するための手段及びその効果】
【０００７】
本考案は上記課題に鑑みなされたものであって、防犯性に優れるとともに適用範囲の広い、安価な開閉戸用暗証番号錠及びこの開閉戸用暗証番号錠を用いた防犯戸システムを提供することを目的としている。
【０００８】
上記目的を達成するために本考案に係る開閉戸用暗証番号錠（１）は、手動で暗証番号の位置合わせがを行われるう暗証番号錠であって、外枠と、該外枠の内側にほぼ平行に配置列された複数のスライド板と、複数の前記スライド板が暗証番号通りに並べられた時に、前記スライド板に対してほぼ直角方向に移動可能であり、少なくとも一端が前記外枠から突出している棒状又は板状のロック用部材とを含んで構成され、それぞれの前記スライド板が、等間隔に設けられた複数の番号に対応する位置のいずれかの箇所に、前記ロック用部材が通る大きさの解錠用開口部を備え、前記外枠の前面に位置する前面パネル、又は該前面パネル及び前記外枠の後面に位置する後面パネルにおける前記スライド板の端面に対応する位置にスリットが設けられ、前記スライド板に設けられた位置合わせ用ノブが前記スリットから突出し、前記位置合わせ用ノブを操作することにより、前記スリットに沿って前記スライド板を移動させることが可能であり、複数の前記スライド板のうち、暗証番号に対応する位置に並べられていないスライド板によって、前記ロック用部材の移動が阻止されるように構成されていることを特徴としている。
【０００９】
上記開閉戸用暗証番号錠（１）によれば、構造が極めて簡素であるので、安価な暗証番号錠を得ることができる。また、開閉戸用暗証番号錠（１）は、引き違い戸、ドア等の主要な錠及び錠の解錠を防止するための補助錠として利用することができるので、適用範囲が広い。このように、安価であり、適用範囲が広という利点を有しているので、様々な箇所に設置することができ、住宅等における防犯性をより向上させることができる。
【００１０】
また、本考案に係る開閉戸用暗証番号錠（２）は、上記開閉戸用暗証番号錠（１）において、前記前面パネル、前記後面パネル又は前記外枠の側面部を取り外し、複数の前記スライド板の順序を並べ替えることにより、暗証番号を変更することができるように構成されていることを特徴としている。
上記開閉戸用暗証番号錠（２）によれば、簡単な構造でありながら、暗証番号を必要に応じて変更することができるので、第三者に暗証番号が知られる可能性が低く、暗証番号錠を使用する上での安全性をより向上させることができる。
【００１１】
また、本考案に係る開閉戸用暗証番号錠（３）は、上記開閉戸用暗証番号錠（１）又は（２）において、前記スライド板に設けられた前記解錠用開口部が、前記ロック用部材が通る大きさの貫通孔であることを特徴としている。
上記開閉戸用暗証番号錠（３）によれば、スライド板にロック用部材が通る大きさの解錠用開口部が設けられているので、構造が簡素であり、堅牢な暗証番号錠とすることができる。
【００１２】
また、本考案に係る開閉戸用暗証番号錠（４）は、上記開閉戸用暗証番号錠（１）又は（２）において、前記スライド板に設けられた前記解錠用開口部が、前記ロック用部材側に開口するコの字形であり、前記ロック用部材の側面に、前記コの字形の開口部を通る大きさの突起が設けられていることを特徴としている。
【００１３】
上記開閉戸用暗証番号錠（４）によれば、スライド板に形成される解錠用開口部の幅を、ロック用部材の突起が通る大きさとすることができるので、各スライド板に形成される解錠用開口部間の間隔、すなわち各スライド板における暗証番号の間隔を狭くすることができる。そのために、スライド板の幅を狭くすることができるので、暗証番号錠の幅が狭くなり、よりコンパクトな暗証番号錠を得ることができる。また、スライド板に弾性部材を設け、位置決め板に溝を設けることにより、弾性部材と溝とが嵌め合わさった位置で、ディジタル的に番号合わせを行うことができるので、小型であっても容易に、正確に番号合わせを行うことができる。また、このような嵌め合わせとした場合には、暗証番号錠（４）を横向きにしても、スライド板の位置がずれることがない。したがって、暗証番号錠を縦にも横にも、上下逆にも使用することができるという利点がある。
【００１４】
また、本考案に係る開閉戸用暗証番号錠（５）は、上記開閉戸用暗証番号錠（１）〜（４）のいずれかにおいて、２枚の引き違い戸を閉めた時に、前記引き違い戸が重なる位置の室内側の枠部に取り付けられる開閉戸用暗証番号錠であって、前記ロック用部材が、その先端部に、前記２枚の引き違い戸を施錠するクレセント錠が施錠された状態で、該クレセント錠の操作用レバーの回転を阻止する回転阻止部を備えていることを特徴としている。
上記開閉戸用暗証番号錠（５）によれば、クレセント錠が配設された近傍のガラスを割る等の行為によって、クレセント錠に手が届いたとしても、暗証番号錠が設置されている場合には、暗証番号錠によってクレセント錠の回転を阻止することができるので、引き違い戸が開かれる可能性を大幅に低くすることができる。
【００１５】
また、本考案に係る開閉戸用暗証番号錠（６）は、上記開閉戸用暗証番号錠（１）〜（４）のいずれかにおいて、２枚の引き違い戸を閉めた時に、前記引き違い戸が重なる位置の室内側の枠部に取り付けられる開閉戸用暗証番号錠であって、前記ロック用部材が、その先端部に、前記２枚の引き違い戸が重なる位置の枠部を貫通して引き違い戸相互の動きを止めるためのサブロック錠の引き出しを阻止する引き出し阻止部を備えていることを特徴としている。
上記開閉戸用暗証番号錠（６）によれば、クレセント錠が解錠されるような事態が生じたとしても、暗証番号錠によってサブロックが解錠されないようにすることができるので、引き違い戸が開かれる可能性を大幅に低くすることができる。
【００１６】
また、本考案に係る開閉戸用暗証番号錠（７）は、上記開閉戸用暗証番号錠（１）〜（４）のいずれかにおいて、前記スライド板が２つのグループに分割され、各グループが複数のスライド板を備え、それぞれの前記グループに対応して前記ロック用部材が設けられ、前記ロック用部材が、それぞれの前記グループ側の外枠から突出し、前記ロック用部材の移動が、それぞれの前記グループの複数のスライド板のうち、暗証番号に対応する位置に並べられていないスライド板によって阻止されるように構成されていることを特徴としている。
上記開閉戸用暗証番号錠（７）によれば、１つの暗証番号錠が２組の暗証番号錠で構成されているので、１つの暗証番号錠を解錠するのに２種類の暗証番号を必要とする。したがって、一方の暗証番号が解読されたとしてももう一方の暗証番号が解読されなければ暗証番号錠を解錠することができないので、防犯性を著しく向上させることができる。
【００１７】
また、本考案に係る開閉戸用暗証番号錠（８）は、上記開閉戸用暗証番号錠（３）において、前記スリットが、前記前面パネル及び前記後面パネルに設けられ、前記スライド板の位置合わせ用ノブが前記前面パネル及び前記後面パネルのスリットに対応する位置に設けられ、前記スライド板が前面側及び後面側の両面から操作可能に構成されていることを特徴とている。
上記開閉戸用暗証番号錠（８）によれば、暗証番号錠の前面側及び後面側からスライド板を操作することができるので、玄関ドア等の施錠用に利用することができる。すなわち、外出時には外側から暗証番号錠を操作して施錠し、内側から施錠するときには内側から暗証番号錠を操作することにより、表側からでも内側からでも施錠・解錠を行うことができる。
【００１８】
また、本考案に係る開閉戸用暗証番号錠（９）は、上記開閉戸用暗証番号錠（３）において、前記スリットが、前記前面パネル及び前記後面パネルに設けられ、前記スライド板の位置合わせ用ノブが前記前面パネル及び前記後面パネルのスリットに対応する位置に設けられ、前記スライド板が前面パネル側及び後面パネル側の両面から操作可能に構成され、複数の前記スライド板が２つのグループに分割され、各グループが複数のスライド板を備え、それぞれの前記グループに対応して前記ロック用部材が設けられ、前記ロック用部材が、それぞれの前記グループ側の外枠から突出し、前記ロック用部材の移動が、対応するそれぞれの前記グループの複数のスライド板のうち、暗証番号に対応する位置に並べられていないスライド板によって阻止されるように構成されていることを特徴としている。
上記開閉戸用暗証番号錠（９）によれば、上記暗証番号錠（７）と暗証番号錠（８）の両者の特長を有しているので、防犯性に極めて優れるとともに、内側からも外側からも操作できるので、玄関ドア等の主要なドア用の錠として有効である。
【００１９】
また、本考案に係る防犯戸システム（１）は、引き違い戸と、前記引き違い戸の周縁枠を支持する枠体と、該枠体に取り付けられた上記本考案に係る開閉戸用暗証番号錠（１）〜（４）のいずれかと、前記引き違い戸が閉められた状態で、前記ロック用部材が、前記枠体に固定されたロック用部材受け部及び前記引き違い戸の枠部に固定されたロック用部材受け部の両者に挿入されることにより、前記引き違い戸が施錠されるように構成されていることを特徴としている。
【００２０】
上記防犯戸システム（１）によれば、引き違い戸とドアの枠体との間が上記開閉戸用暗証番号錠（１）〜（４）のいずれかによって施錠されるので、たとえ暗証番号錠に手が届いたとしても、暗証番号を解読されない限り、引き違い戸を開けることは困難である。暗証番号錠が室内側に面している場合には、暗証番号錠を解錠することは極めて難しい。したがって、引き違い戸はガラス戸のほかに、ガラスが用いられていない格子戸であってもよい。解放的でありながら、防犯性に優れた防犯戸システムとすることもできる。
【００２１】
また、本考案に係る防犯戸システム（２）は、引き違い戸と、前記引き違い戸が閉められた時に重なる位置の戸の枠部に取り付けられた上記本考案に係る開閉戸用暗証番号錠（１）〜（４）のいずれかと、前記引き違い戸が重なる位置の戸の枠部を貫通して施錠するねじ込み式又は棒状部材を挿入する挿入式の錠とを含んで構成された防犯戸システムであって、前記錠が施錠された後、前記錠の操作部の回転又は引き出しを、前記ロック用部材によって阻止することができるように構成されていることを特徴としている。
【００２２】
上記防犯戸システム（２）によれば、引き違い戸の錠が、暗証番号錠（１）〜（４）のいずれかによって、回転又は引き出しが阻止されているので、引き違い戸の解錠を行うことは極めて難しい。したがって、安価な暗証番号錠（１）〜（４）のいずれかを補助錠として利用することによって、引き違い戸の防犯性を格段に向上させることができる。
【００２３】
また、本考案に係る防犯戸システム（３）は、上記防犯戸システム（１）又は（２）において、前記引き違い戸が意匠戸であり、前記暗証番号錠の操作面が室内側に面して取り付けられていることを特徴としている。
【００２４】
上記防犯戸システム（３）によれば、防犯戸システムが、本出願人が特許文献３で提案した意匠戸を用いた防犯戸システムにおける施錠手段が、上記暗証番号錠（１）〜（４）のいずれかによって構成されているので、安価であるとともに、優れた意匠性を備えた開放的な防犯戸システムを得ることができる。
【００２５】
また、本考案に係る防犯戸システム（４）は、ドア外枠に組み込まれた上記本考案に係る開閉戸用暗証番号錠（８）又は（９）と、前記ドア外枠とドアとの間をロックするデッドボルトと受座とを含むロック部とを備えた施錠手段を含んで構成された防犯戸システムであって、前記デッドボルトが前記ドア側、前記受座が前記ドア外枠側、又は前記デッドボルトが前記ドア外枠側、前記受座が前記ドア側に固定され、前記開閉戸用暗証番号錠が、前記デッドボルトの上方及び／又は下方に位置するように配設され、ロック状態にセットされた前記デッドボルトの移動が、前記開閉戸用暗証番号錠のロック用部材によって阻止されるように構成されていることを特徴としている。
上記防犯戸システム（４）によれば、暗証番号錠を外部からも内部からも操作することができるので、表側からでも内側からでも施錠・解錠を行うことができる。したがって、玄関等の防犯戸システムとして特に好適である。
【００２６】
本考案に係る防犯戸システム（５）は、上記防犯戸システム（４）において、前記開閉戸用暗証番号錠が、上記本考案に係る開閉戸用暗証番号錠（９）であり、前記デッドボルトと受座とを含むロック部が、前記開閉戸用暗証番号錠の上方及び下方に設けられていることを特徴としている。
上記防犯戸システム（５）によれば、暗証番号錠が上記暗証番号錠（７）と暗証番号錠（８）の両者の特長を兼ね備えているので、防犯性に極めて優れた防犯戸システムとすることができるとともに、内側からも外側からも操作できるので、玄関ドア等の主要な防犯戸システムとしてより好適である。
【００２７】
本考案に係る防犯戸システム（６）は、ドアを組み込むドア外枠と、該ドア外枠に開閉自在に連結され、来訪者との対応が可能な開口部が形成された外側ドアと、前記ドア外枠に開閉自在に連結され、前記外側ドアと一体化された状態で前記ドア外枠に取り付けられた内側ドアと、前記外側ドアに配設された第１の施錠手段と、前記内側ドアに配設された第２の施錠手段とを含んで構成された防犯戸システムであって、少なくとも前記外側ドアの第１の施錠手段が、上記防犯戸システム（４）又は（５）に記載の施錠手段によって構成されていることを特徴としている。
【００２８】
上記防犯戸システム（６）によれば、防犯戸システムが、本出願人が特許文献４で提案した防犯戸システムにおける少なくとも第１の施錠手段が、上記防犯戸システム（４）又は（５）に用いられている施錠手段によって構成されているので、外側ドアと内側ドアとの間の施錠手段の出っ張りを低く抑えることができる。したがって、防犯性に優れるとともに、よりコンパクトな防犯戸システムを得ることができる。
【００２９】
なお、暗証番号に関しては、本明細書では、便宜的に「暗証番号」と記すが、数字の番号に限定されるものではなく、「暗証番号」には、「イ、ロ、ハ」、「Ａ、Ｂ、Ｃ」などのスライド板の位置を特定することができる符号を含むものとする。
【考案を実施するための最良の形態】
【００３０】
以下、本考案の実施の形態に係る開閉戸用暗証番号錠（以下、暗証番号錠と略記する）及びこの暗証番号錠を用いた防犯戸システムを図面に基づいて説明する。
図１は、実施の形態１に係る暗証番号錠１０を示す斜視図であり、（ａ）は施錠状態、（ｂ）は解錠状態を示している。また、図２は、暗証番号錠１０の内部の構造を示す図であり、（ａ）は前面パネルを外した状態の正面図、（ｂ）は（ａ）に示したIIb−IIb’切断線における断面図である。なお、図２は、図１（ｂ）に示した解錠状態に対応する図である。また、図３は、スリット板を示す斜視図であり、（ａ）は番号３の位置に解錠用開口部、（ｂ）は番号５の位置に解錠用開口部が設けられたスリット板を示している。
【００３１】
図１、２に示したように、暗証番号錠１０は本体部１１と施錠部材部１２とを含んで構成されている。本体部１１は、ケース１３内に、複数のスライド板１４ａ〜１４ｅで構成されたスライド板１４がほぼ平行に配置列されており、スライド板１４の位置合わせ用ノブ１５が、ケース１３の前面パネル１８に設けられたスリット１８ａから突出している。なお、前面パネル１８は、ケース１３の外枠１９に、ねじ止めなどの手段により、着脱可能に取り付けられている。また、スリット１８ａは、スライド板１４の位置合わせ用ノブ１５が位置する端面に対応する位置に設けられており、位置合わせ用ノブ１５を操作することによって、スリット１８ａに沿ってスライド板１４を横方向に移動させ、スライド板１４の位置合わせを行うことができるようになっている。
【００３２】
図２に示したように、スライド板１４は、ケース１３内にほぼ平行に設けられた複数の仕切板１３ａによって区切られた空間部に挿入されており、仕切板１３ａの上を移動することができるようになっている。また、仕切板１３ａのほぼ中央部には、後に説明する棒状又は細長い板状のロック用部材１６が通る開口部（図示せず）が設けられている。
【００３３】
それぞれのスライド板１４には、図３に示したように、等間隔に並んだ複数の番号（図３に示した例では１〜５）のうち、いずれかの番号に対応する位置に、ロック用部材１６が通る大きさの解錠用開口部１４ｆが設けられている。図３（ａ）に示したスリット板１４ａでは番号３の位置、（ｂ）に示したスリット板１４ｂでは番号５４の位置に解錠用開口部１４ｆが設けられている。これらの解錠用開口部１４ｆが、ケース１３の仕切板１３ａに設けられた開口部と重なる位置にセットされた場合に、ロック用部材１６が解錠用開口部１４ｆを通り抜けることができるようになっている。
【００３４】
上記の構成から明らかなように、スライド板１４の長さは仕切板１３ａで仕切られた空間部の幅より狭く、スライド板１４の番号１及び５のそれぞれが仕切板１３ａのほぼ中央部、すなわち解錠用開口部１４ｆの位置に移動可能な長さに設定されていである。
【００３５】
施錠部材部１２は本体部１１の外枠１９の底部１９ａに取り付けられており、ロック用部材１６が外枠１９の底部１９ａから下向きに突出している。このロック用部材１６は、ガイド１２ａに案内されて、スライド板１４に対してほぼ直角方向、すなわち上下方向に移動可能となっている。
【００３６】
図２（ａ）は、スライド板１４の位置合わせ用ノブ１５を操作することによって、各スライド板１４ａ〜１４ｅの位置を暗証番号に合致させ、ロック用部材１６を上方に引き上げて解錠した状態を示している。各スライド板１４ａ〜１４ｅのうち、いずれかが暗証番号に合致しない位置にある場合には、そのスライド板の位置で、ロック用部材１６の上方向の移動が阻止され、それより上方へは移動させることができないようになっている。なお、ロック用部材１６には、側面に突起１６ａがを設けられておき、突起１６ａを持って上下動させられるようになっているしておくのがよい。また、ガイド１２ａには、突起１６ａが通る幅のスリット１２ｃが形成されを設け、さらにスリット１２ｃの上端近傍部に、スリット１２ｃに対してほぼ直角方向に溝１２ｄをが設けられているておくのがよい。それによって、ロック用部材１６を引き上げた際に、突起１６ａを溝１２ｄに掛け、ロック用部材１６が下降しないように留めておくことができる。
【００３７】
図１、図２には、スライド板１４の枚数が５枚、番号の数が５の場合を示した。これらはただし、特に限定されるものではないが、実用上、スライド板１４の枚数は３〜１０枚程度、番号の数は３〜１０程度が好ましく、スライド板１４の枚数は５〜７枚程度、番号の数は５〜８程度がより好ましい。
【００３８】
なお、図１及び図２には、ロック用部材１６の一端が本体部１１の外枠１９の上部１９ｃから突き抜けないタイプの暗証番号錠１０の例を示したが、ロック用部材１６の移動距離を長くする必要がある場合には、上部１９ｃから突き抜けるように開口部を設けてもよい。また、施錠部材部１２が本体部１１の底部に設けられた例を示したが、施錠部材部１２は本体部１１の上部に設けられていてもよい。また、暗証番号錠１０には、ガイド１２ａを備えた例を示したが、ガイド１２ａはロック用部材１６の昇降をより安定させにするものであり、必要に応じて設けられるものである。
【００３９】
暗証番号錠１０は、破壊されないように、強度の高い材料で構成することが好このましい。例えば、ケース１３及びスライド板１４は、アルミニウム、真鍮、ステンレス鋼などの金属材料やＡＢＳ樹脂などの強度を有する合成樹脂などが適している。また、ロック用部材１２ａには、強度、意匠性などに優れたステンレス鋼などの金属材料が好適である。
【００４０】
暗証番号は、スリット板１４が５枚で、番号が１〜５の場合には５の５乗通り、仮にスライド板が３枚であっても、１２５通りを選ぶことができる。しかし、暗証番号が第三者に分かってしまうと解錠される可能性が高い。そこで、別の実施の形態に係る暗証番号錠の場合には、ケース１３の前面パネル１８又は外枠１９の側部１９ｂを取り外し、スライド板１４の順序を並べ替えることができるように構成されする。それによって、暗証番号を必要に応じて変更することができるので、防犯効果をより高めることができる。
【００４１】
図４は、実施の形態２に係る暗証番号錠２０を分解して示す斜視図であり、（ａ）はロック用部材、（ｂ）は前面パネルを外した状態の本体部、（ｃ）は前面パネル、（ｄ）はスライド板用位置決め板（以下、位置決め板と略記する）及びスライド板を示している。実施の形態２に係る暗証番号錠２０は、小型化することが可能で、また、上下方向だけではなく横向きに使うこともできるタイプである。なお、組み立てた状態は、図１に示した実施の形態１に係る暗証番号錠１０とほぼ同じである。ただし、ロック用部材が上部に突出していること、施錠部材部１２のガイド１２ａを備えていない点が相違している。
【００４２】
暗証番号錠２０は、前面パネル２８を含むケース２３、ロック用部材２６、スライド板２４及びスライド板２４に対向してケース２３に設けられた位置決め板２７を含んで構成されている。
【００４３】
ケース２３のうち前面パネル２８を除く部分２３ａは、外枠２９、仕切板２３ｄ及び位置決め板２７を含んで構成されており、位置決め板２７は、仕切板２３ｄで区切られたスライド板２４の挿入部２３ｅの後側に固定されている。また、外枠２９の上部２９ｃ及び下部２９ａには、それぞれ開口部２３ｆ、２３ｇが設けられてたおり、これらの開口部２３ｆ、２３ｇは、ロック用部材２６が通る大きさとなっている。さらに、上部の開口部２３ｆには、後に説明するロック用部材２６の突起２６ａが通る大きさの溝２３ｈが設けられている。
【００４４】
前面パネル２８は、実施の形態１に係る暗証番号錠１０の場合と同様なものであり、スライド板スリット２４の位置合わせ用ノブ２５が通る大きさのスリット２８ａを備えている。
【００４５】
ロック用部材２６は、下端部に通り抜け防止部材２６ｂを備え、側面部には突起２６ａを備えている。突起２６ａと通り抜け防止部材２６ｂとの間隔は、ケース２３ａの高さ（外枠２９ａの下面２９ａと外枠２９ｃの上面２９ｃとの間の間隔高さ）よりやや長くなっている。通り抜け防止部材２６ｂは、ねじ止め等により着脱可能であり、その大きさは、外枠２９の下部２９ａの開口部２３ｇより大きい。
【００４６】
位置決め板２７には、図４（ｄ）に示したように、スライド板２４に対面する端面に、ロック用部材２６が通る開口部２７ａ及び複数の位置決め溝２７ｂが設けられている。開口部２７ａは、位置決め板２７の幅のほぼ中央部に位置し、スライド板２４側に開口している。複数の位置決め溝２７ｂは、スライド板２４に等間隔に配列された番号（図示省略、図３参照）と同じ間隔の位置に設けられている。
【００４７】
スライド板２４の位置決め板２７に対面する端部側には、ロック用部材２６の突起２６ａが通る大きさのコの字形の解錠用開口部２４ａが設けられている。この解錠用開口部２４ａは、スライド板２４に設けられた複数の番号のいずれかに対応する位置に形成されており、解錠用開口部２４ａと位置決め板２７の開口部２７ａとが対面するようにスライド板２４が位置した場合に、ロック用部材２６が通り抜けられるようになっている。また、スライド板２４の位置決め板２７に対面する端面には、少なくとも２つの突起状の弾性部材２４ｂが固定されている。この弾性部材２４ｂは、位置決め板２７側の方が幅の狭いＵ字形、Ｖ字形などの板バネなどであり、位置決め板２７の溝２７ｂに嵌るようになっている。また、少なくとも２つの弾性部材２４ｂの間隔は、位置決め板２７の複数の溝２７ｂ間の間隔、すなわちスライド板２４に付けられた番号の間隔と同じに設定されていである。
【００４８】
上記のように構成された位置決め板２７とスライド板２４とは、ケース２３内では、スライド板２４の弾性部材２４ｂが、位置決め板２７の溝２７ｂに嵌り、かつスライド板２４の位置合わせ用ノブ２５によってスライド板２４を移動させることができるように、前面パネル２８によって軽く抑えられた状態で組み込まれている。
【００４９】
暗証番号錠２０の場合には、上記のように、スライド板２４に形成される解錠用開口部２４ａの幅を、ロック用部材２６の突起２６ａが通る大きさとすることができる。したがって、各スライド板２４に形成される解錠用開口部２４ａ間の間隔、すなわち各スライド板２４における暗証番号の間隔を狭くすることができる。そのために、スライド板２４の幅を狭くすることができるので、ケース２３の幅がせまくなり、よりコンパクトな暗証番号錠２０とすることができる。
【００５０】
また、スライド板２４に設けられた弾性部材２４ｂと位置決め板２７に設けられた溝２７ｂとが嵌め合わさった位置で、ディジタル的に番号合わせを行うことができるので、小型であっても容易に、正確に番号合わせを行うことができる。また、このような嵌め合わせとなっているので、暗証番号錠２０を横向きにしても、スライド板２４の位置がずれることがない。したがって、暗証番号錠２０を縦にも横にも、上下逆にも使用することができるという利点がある。
【００５１】
ただし、縦向きに使うだけの場合には、必ずしも、スライド板２４の弾性部材２４ｂ及び位置決め板２７の溝２７ｂを必要としない。したがって、用途に応じて、スライド板２４の弾性部材２４ｂ及び位置決め板２７の溝２７ｂの要否を決めることが好ましい。
【００５２】
図５は、実施の形態３に係る暗証番号錠３０を示す図であり、（ａ）は引き違い戸に取り付けた状態の側面図、（ｂ）は同じく正面図である。なお、図５に示した暗証番号錠３０は、引き違い戸のクレセント錠が施錠された状態で、クレセント錠が解錠されないように、暗証番号錠３０によってロックされた状態を示している。
【００５３】
暗証番号錠３０は、２枚の引き違い戸を閉めた時に、引き違い戸３５と引き違い戸３５Ａとが重なる位置の室内側の枠部３５ａに、前面パネル３８が室内側に面するように取り付けられている。ロック用部材３６は板状であり、その先端部に、２枚の引き違い戸３５、３５Ａを施錠するクレセント錠３７が施錠された状態で、クレセント錠３７の操作用レバー３７ａの回転を阻止する回転阻止部３６ａを備えている。この回転阻止部３６ａは、図５（ｂ）に示したように、クレセント錠３７の操作用レバー３７ａ側に伸びており、さらに、図５（ａ）に示したように、操作用レバー３７ａ側に曲がった曲がり部３６ｂ及び操作用レバー３７ａの押さえ部３６ｃから構成さが設けられている。
【００５４】
図５に示したロック用部材３６は板状となっている。これは、暗証番号錠３０の厚みをできるだけ薄くするためである。ただし、必ずしも板状である必要はない。また、ロック用部材３６とスライド板（図示省略）は、実施の形態２に係る暗証番号錠２０と同じタイプが好ましい。前述のように、ロック用部材３６に突起（図示省略）が形成されを設け、スライド板にその突起部が通る大きさの解錠用開口部が形成されたを設けるタイプの方が、暗証番号錠３０を小型化することができるからである。
【００５５】
なお、図５には、暗証番号錠３０の前面パネル３８が室内側に面するように取り付けられた例を示したが、クレセント錠３７が固定されている面と同じ面に取り付けられてもよい。ただし、外部から暗証番号錠３０を操作しにくいように、室内側に面していることがより好ましい。
【００５６】
図６は、実施の形態４に係る暗証番号錠４０を示す図であり、（ａ）は引き違い戸に取り付けられた状態の側面図、（ｂ）は同じく正面図である。なお、図６に示した暗証番号錠４０は、引き違い戸のサブロック錠が施錠された状態で、サブロック錠が引き出されないように、暗証番号錠４０によってロックされた状態を示している。
【００５７】
暗証番号錠４０は、２枚の引き違い戸を閉めた時に、引き違い戸３５と引き違い戸３５Ａとが重なる位置の室内側の枠部３５ａに、前面パネル４８が室内側に面するように取り付けられている。ロック用部材４６は板状であり、その先端部に、２枚の引き違い戸３５、３５Ａを貫通するサブロック錠４７が押し込まれて施錠された状態で、サブロック錠４７のノブ４７ａが引き出されるのを阻止する引き出し阻止部４６ａを備えている。この引き出し阻止部４６ａは、図６（ａ）に示したように、サブロック錠４７のノブ４７ａを覆うように、室内側に曲がった形状となっている。
【００５８】
図６に示したロック用部材４６は板状となっている。これは、暗証番号錠４０の厚みをできるだけ薄くするためである。ただし、必ずしも板状である必要はない。また、ロック用部材４６とスライド板（図示省略）は、実施の形態２に係る暗証番号錠２０と同じタイプが好ましい。前述のように、ロック用部材４６に突起（図示省略）が形成されを設け、スライド板にその突起部が通る大きさの解錠用開口部が形成されたを設けるタイプの方が、暗証番号錠４０を小型化することができるからである。
【００５９】
図７は、実施の形態５に係る暗証番号錠５０を示す正面図である。暗証番号錠５０は、実施の形態１に係る暗証番号錠１０が２つ、上下逆向きに合わされたのとほぼ同様な構造をしており、上部暗証番号錠５０Ａと下部暗証番号錠５０Ｂとで構成されている。下部暗証番号錠５０Ｂは、本体部５１Ｂ、施錠部材部５２Ｂが、図１及び図２に示した暗証番号錠１０の本体部１１、施錠部材部１２に対応している。上部暗証番号錠５０Ａは、下部暗証番号錠を上下逆にしたものとほぼ同様であるが、施錠部材部５２Ａのスリット５２Ａｃに設けられている溝５２Ａｄの位置が、スリット５２Ａｃの上部側、すなわち本体部５１Ａに対して遠い側となっている点が相違している。
【００６０】
また、暗証番号錠５０は、実施の形態２に係る暗証番号錠２０を２つ逆向きに組み合わせた構造としてもよい（図示省略）。ただし、その場合には、図４に示したロック用部材２６が外枠２９の上部又は下部の一方側からのみ突出する形態となるので、図７に示したガイド５２Ａａ、５２Ｂａと同様なガイドを設けることが好ましい。
【００６１】
暗証番号錠５０の場合には、１セットの暗証番号錠５０によって、異なる暗証番号によって上下２箇所の施錠を行うことができるので、より防犯性を高めることができる。
【００６２】
図８は、別の実施の形態に係る両面操作型の暗証番号錠に用いられるスライド板１４Ａを示す平面図である。両面操作型の暗証番号錠は、前面側及び後面側の両面から施錠及び解錠が可能なタイプである。すなわち、後面パネル（図示省略）が、図１に示した前面パネル１８と同様な構成となっており、前面パネル１８のスリット１８ａに対応するスリットが後面パネルにも設けられている。
【００６３】
スライド板１４Ａは、図８に示したように、前面パネル側の位置合わせ用ノブ１５ａと後面側の位置合わせ用ノブ１５ｂとを備えており、それぞれ前面パネルのスリット、後面パネルのスリットから突出している。そのために、位置合わせ用ノブ１５ａと１５ｂとにより、前面側からも後面側からもスライド板１４Ａを操作することができるようになっている。なお、スライド板１４Ａには、いずれかの番号に対応する位置にロック用部材（図示省略）が通る解錠用開口部１４ｆが設けられている。また、スライド板１４Ａに示したように、前面パネルと後面パネルに表示する番号の並べ方は逆の順序とする。すなわち、前面パネルに番号を昇順で表示した場合には、後面パネルには降順で表示する。そのような番号の表示によって、前面と後面のいずれの側からでも、同じ暗証番号で解錠操作を行うことができる。
【００６４】
上記の両面操作型の暗証番号錠は、実施の形態５に係る上下ロック型の暗証番号錠５０と同様に上下に組み合わせが可能であり、その場合には、上下ロック・両面操作型の暗証番号錠が得られる。なお、両面操作型の暗証番号錠の適用例は、後に実施の形態８で説明する。
【００６５】
図９は、実施の形態６に係る防犯戸システム６０を示す斜視図であり、室内側から見た図である。また、図１０は、防犯戸システム６０の施錠部を拡大して示す部分拡大斜視図であり、（ａ）は施錠された状態、（ｂ）は解錠された状態を示している。防犯戸システム６０は、引き違い戸の戸６１、６２と、戸６１、６２の周縁枠６３を支持する枠体６４と、枠体６４に取り付けられた暗証番号錠１０と、戸６１、６２が閉められた状態で、暗証番号錠１０のロック用部材１６が、枠体６４に固定されたロック用部材受け部６８及び戸６１、６２の枠部６１ａ、６２ａに固定されたロック用部材受け部６９の両者に挿入されることにより、引き違い戸が施錠されるように構成されている。
【００６６】
図１０（ａ）に示したように、戸６１側に関しては、施錠された状態では、ロック用部材１６が下降し、枠体６４に固定されたロック用部材１６の受け部６８及び戸６１の枠部６１ａに固定されたロック用部材１６の受け部６９の両方に挿入されて、戸６１が開かないようになっている。戸６２の場合も同様に施錠される。
【００６７】
なお、図９に示した戸６１、６２は、本件本出願人が特許文献４として示した実用新案登録第３０９９８０３号に開示されている格子戸である意匠戸の例であるが、戸６１、６２は意匠戸に限定されるものではなく、通常のガラス戸であってもよい。
【００６８】
防犯戸システム６０の場合、暗証番号錠１０の操作面が室内側に面している。したがって、格子戸の外側から格子の間から、又はガラス戸の場合、暗証番号錠１０の周りのガラスを割って開けた隙間から室内側に手を入れて、暗証番号錠１０を操作しようとしても番号合わせを行うことは難しく、まして暗証番号が分からない場合には、短時間で解錠することはほぼ不可能に近い。したがって、防犯性に極めて優れている。なお、暗証番号錠１０は室内側に面して取り付けられていることが好ましいが、戸当たり面、すなわち戸の開閉方向に面する枠部に取り付けられていても解錠される可能性は低い。したがって、必ずしも室内側に面していなくてもよい。
【００６９】
上記の防犯戸システム６０では、実施の形態１に係る暗証番号錠１０を用いる例を示したが、別の実施の形態に係る防犯戸システムでは、暗証番号錠として、実施の形態２及び５に係る暗証番号錠２０、５０を用いるようにしてもよい。
【００７０】
図１１は、実施の形態７に係る防犯戸システム７０を示す斜視図であり、（ａ）は防犯戸システム７０の全体構成、（ｂ）は施錠部を拡大して示す斜視図である。防犯戸システム７０は、引き違い戸の戸７１、７２と、戸７１、７２が閉められた時に重なる位置の戸７１の枠部７１ａに取り付けられた暗証番号錠１０Ａと、戸７１、７２が重なる位置における室内側の戸７１の枠部７１ａを貫通して戸７２との間を施錠する施錠手段７３とを含んで構成されている。なお、暗証番号錠１０Ａは、防犯戸システム７０では、施錠手段７３が施錠された後、施錠手段７３の操作部７３ａの回転又は引き出しを、ロック用部材１６Ａによって阻止するための補助錠として機能するものである。なお、図１１には、施錠手段７３としてねじ込み式の錠の例を示しており、操作部７３ａはねじ込み式の錠を回転させるためのつまみ部となっている。
【００７１】
暗証番号錠１０Ａは、ロック用部材１６Ａの先端部に切り込み１６Ａａが設けられている。ねじ込み式の施錠手段７３が施錠された後、操作部７３ａが回転しないように、施錠手段７３の操作部７３ａが、切り込み１６Ａａによって挟まれると、暗証番号錠１０Ａが解錠されてロック用部材１６Ａが引き上げられない限り、施錠手段７３が解錠されないようになっている。
【００７２】
図１１には、施錠手段７３としてねじ込み式の例を示したが、ねじ込み式の錠に限定されるものではなく、棒状部材を挿入する挿入式の錠であってもよい。この場合には、挿入式の錠の引き出しを阻止することができるように、暗証番号錠１０Ａのロック用部材が、例えば、図６に示した場合のように、操作部の引き出し方向に位置するようにすればよい。
【００７３】
上記の防犯戸システム７０では、暗証番号錠として実施の形態１に係る暗証番号錠１０のタイプで、ロック用部材１６の形状が異なる暗証番号錠１０Ａを用いる例を示したが、暗証番号錠には、実施の形態２に係る暗証番号錠２０のタイプを用いることもできる。
【００７４】
図１２は、実施の形態８に係る防犯戸システム８０の全体構成を示す斜視図である。防犯戸システム８０は、ドア８１と、ドア外枠８２と、ドア外枠８２の施錠側の枠８２ａに組み込まれた暗証番号錠５０Ａ及びドア外枠８２とドア８１との間をロックするデッドボルトと受座とを含む施錠部８３とを備えた施錠手段とを含んで構成されている。
【００７５】
図１３は、施錠手段、すなわち暗証番号錠５０Ａと施錠部８３を構成する部材を分解して示す斜視図であり、暗証番号錠５０Ａと、施錠部８３を構成するデッドボルト８４、デッドボルトケース８５、デッドボルト８４の受座８６を示している。これらの部材のうち、デッドボルトケース８５は図１２に示したドア８１に組み込まれ、デッドボルト８４はデッドボルトケース８５の中に収められてデッドボルトケース８５とともに、ドア８１に固定されている。
【００７６】
暗証番号錠５０Ａは、実施の形態５に係る暗証番号錠５０の上部側又は下部側の部分であり、表側からも室内側からも操作することができる両面操作型となっている。暗証番号錠５０Ａのロック用部材５６Ｂは板状であり、その一端側には平型の歯５６Ｂａが形成されている。また、ロック用部材５６Ｂは昇降装置８７によって昇降することができるようになっており、昇降装置８７は、ロック用部材の歯５６Ｂａと噛み合う平歯車８７ａ、昇降用つまみ８７ｃ、８７ｄ及び昇降用つまみ８７ｃ、８７ｄと平歯車８７ａとを接続する軸８７ｂで構成されている。なお、昇降用つまみ８７ｃ、８７ｄは、それぞれドア外枠８２の施錠側の枠８２ａの外側、室内側で操作可能なようになっている。
【００７７】
受座８６は、角形の筒状部８６ａと固定板８６ｂとで構成されており、筒状部８６ａｂはデッドボルト８４が入る大きさであり、筒状部８６ａｂの暗証番号錠５０Ａ側の面には、ロック用部材５６Ｂが通る大きさの開口部８６ｃが形成されている。なお、受座８６の筒状部８６ａは必ずしも必要ではなく、受座は固定板８６ｂのみで構成されていてもよい。
【００７８】
デッドボルト８４は断面形状が角形で、受座８６側に、ロック用部材５６Ｂが入る大きさのロック用孔８４ａが形成されている。このロック用孔８４ａは貫通孔である必要はないが、暗証番号錠５０Ａとの高さ方向の位置調整の容易さなどの点から、貫通孔の方が好ましい。また、もう一方の側の両側の側面８４ｃ、８４ｄには、デッドボルト８４を操作するためのノブ８４ｂ（側面８４ｄ側のノブは図示されていない）が設けられている。なお、ノブ８４ｂ及びもう一方側のノブは、いずれもドア８１の外側、室内側に突出する長さとなっている。デッドボルト８４は、デッドボルトケース８５内に収められる。
【００７９】
デッドボルトケース８５は、両側の側面８５ｃ、８５ｄにスリット８５ｂ（側面８５ｄ側のスリットは図示されていない）及び固定板８５ａを備えている。また、スリット８５ｂには、デッドボルト８４に設けられているノブ８４ｂが入り、図示されていない側面８５ｄ側のスリットには、図示されていないデッドボルト８４の側面８４ｄ側のノブが入るようになっている。
【００８０】
上記の各部材は、暗証番号錠５０Ａ及び受座８６がドア外枠８２の施錠側の枠８２ａに取り付けられ、デッドボルト８４が挿入されたデッドボルトケース８５がドア８１に取り付けられる。また、それぞれの位置関係は、受座８６は、ロック用部材５６Ｂが下降した時に、ロック用部材５６Ｂが開口部８６ｃに入る位置であり、デッドボルトケース８５は、デッドボルト８４が受座８６に挿入され、かつ施錠時に、ロック用部材５６Ｂがデッドボルト８４のロック用孔８４ａに嵌る位置である。
【００８１】
上記の位置関係とすることにより、施錠時には、デッドボルト８４のロック用孔８４ａにロック用部材５６Ｂが挿入されて、デッドボルト８４の移動が阻止されるようになるので、暗証番号錠５０Ｂが解錠されてロック用部材５６Ｂがロック用孔８４ａから離脱しない限り、ドア８１を開くことができないようになっている。
【００８２】
上記の防犯戸システム８０の場合、外部からも室内側からも暗証番号錠５０Ａを操作することができるので、暗証番号錠は玄関ドアなどの出入口のドアに適用可能である。
【００８３】
別の実施の形態に係る防犯戸システムでは、暗証番号錠として実施の形態５に係る暗証番号錠５０を適用してもよい。この防犯戸システムの場合には、暗証番号錠５０が上下両用タイプであるので、上下の暗証番号錠５０Ａ、と５０Ｂに合わせて、実施の形態８に示した受座８６、デッドボルト８４、デッドボルトケース８５の各部材を、上下に配置する構成とすればよい。この場合には、２つの暗証番号錠５０Ａ、と５０Ｂを解錠しなければ、ドアを開くことができないので、さらに防犯性を高めることができる。
【００８４】
なお、上記の防犯戸システム８０では、ロック用部材５６Ｂの昇降装置８７として歯車を利用する方式を示したが、突起状のノブにより上下に移動させる単純な構造としてもよい。また、デッドボルト８４の操作は、ノブ８４ｂなどにより左右にスライドさせる方式を示したが、ロック用部材５６Ｂの昇降装置８７のように、歯車を利用する構造としてもよい。
【００８５】
図１４は、実施の形態９に係る防犯戸システム９０を示す正面図及び背面図であり、（ａ）が正面図、（ｂ）が背面図である。防犯戸システム９０は、本出願人が特許文献４に開示した防犯戸システムにおける外側ドアに、実施の形態８に係る防犯戸システム８０に用いられている暗証番号錠５０Ａを含む施錠手段を適用した例である。
【００８６】
図１４に示した防犯戸システム９０は、ドアを組み込むドア外枠９２と、ドア外枠９２に開閉自在に連結され、来訪者との対応が可能な開口部が形成された外側ドア９１と、ドア外枠９２に開閉自在に連結され、外側ドア９１と一体化された状態でドア外枠９２に取り付けられた内側ドア１０１と、外側ドア９１に配設された第１の施錠手段９３と、内側ドア１０１に配設された第２の施錠手段１０３とを含んで構成されている。さらに、第１の施錠手段９３としてが、実施の形態８に係る暗証番号錠５０Ａが採用されを備えている。また、外側ドア９１には、開口部９９が設けられており、この開口部９９は、来訪者があった場合に、外側ドア９１を閉めた状態で来訪者との対応が可能な程度の大きさとなっていである。
【００８７】
実施の形態９に係る防犯戸システム９０は、外側ドア９１に設けられた第１の施錠手段９３に暗証番号錠５０Ａが用いられているので、外側ドア９１を簡単には開けることはできない。万一何らかの手段により外側ドア９１が開かれたとしても、内側ドア１０１
に第２の施錠手段１０３が設けられているので、短時間に防犯戸システム９０を開けて内部に侵入することは難しい。したがって、防犯戸システム９０は防犯性に極めて優れている。
【００８８】
外側ドア９１に配設される第１の施錠手段９３は、実施の形態８に係る防犯戸システム８０に用いられている施錠手段８３とほぼ同様の構成であるので、詳細な説明を省略する。また、内側ドア１０１に配設される第２の施錠手段は、内側のサムターンと外側の鍵によって解錠・施錠を行うシリンダーケースロック錠としてもよく、実施の形態１〜４に係る暗証番号錠１０、２０、３０、４０、又は上記第１の施錠手段と同じものであってもよい。
【００８９】
第１の施錠手段又は第１と第２の施錠手段を上記の構成とする場合には、外側ドア９１と内側ドア１０１との間の施錠手段の出っ張りを低く抑えることができるので、防犯戸システム９０をよりコンパクトにすることができる。
【図面の簡単な説明】
【００９０】
【図１】実施の形態１に係る暗証番号錠を示す斜視図であり、（ａ）は施錠状態、（ｂ）は解錠状態を示している。
【図２】図１に示した暗証番号錠の内部の構造を示す図であり、（ａ）は前面パネルを外した状態の正面図、（ｂ）は（ａ）に示したIIb−IIb’切断線における断面図である。
【図３】スリット板を示す斜視図であり、（ａ）は番号３の位置に解錠用開口部、（ｂ）は番号５の位置に解錠用開口部が設けられスリット板を示している。
【図４】実施の形態２に係る暗証番号錠を分解して示す斜視図であり、（ａ）はロック用部材、（ｂ）は前面パネルを外した状態の本体部、（ｃ）は前面パネル、（ｄ）はスライド板用位置決め板及びスライド板を示している。
【図５】実施の形態３に係る暗証番号錠を示す図であり、（ａ）は引き違い戸に取り付けた状態の側面図、（ｂ）は同じく正面図である。
【図６】実施の形態４に係る暗証番号錠を示す図であり、（ａ）は引き違い戸に取り付けられた状態の側面図、（ｂ）は同じく正面図である。
【図７】実施の形態５に係る暗証番号錠を示す正面図である。
【図８】別の実施の形態に係る両面操作型の暗証番号錠に用いられるスライド板を示す平面図である。
【図９】実施の形態６に係る防犯戸システムを室内側から見た斜視図である。
【図１０】図９に示した防犯戸システムの施錠部を拡大して示す部分拡大斜視図であり、（ａ）は施錠された状態、（ｂ）は解錠された状態を示している。
【図１１】実施の形態７に係る防犯戸システムを示す斜視図であり、（ａ）は防犯戸システムの全体構成、（ｂ）は施錠部を拡大して示す斜視図である。
【図１２】実施の形態８に係る防犯戸システムの全体構成を示す斜視図である。
【図１３】施錠手段を構成する部材を分解して示す斜視図であり、暗証番号錠及び施錠部を構成するデッドボルト、デッドボルトケース、デッドボルトの受座を示している。
【図１４】実施の形態９に係る防犯戸システムを示す正面図及び背面図であり、（ａ）が正面図、（ｂ）が背面図である。
【符号の説明】
【００９１】
１０、２０、３０、４０、５０、６０  暗証番号錠
１１、５１Ｂ  本体部
１２、５２Ｂ  施錠部材部
１２ａ、５２Ａａ、５２Ｂａ  ガイド
１２ｃ  スリット
１３ａ、２３ａ  仕切板
１４、１４ａ〜１４ｅ、１４Ａ、２４、６４  スライド板
１５、１５ａ、１５ｂ、２５  位置合わせ用ノブ
１６、１６Ａ、２６、３６、４６、５６Ｂ  ロック用部材
１６ａ、２６ａ  突起
１８、２８、３８、４８  前面パネル
１８ａ、２８ａ  スリット
１９、２９  外枠
２４ａ  解錠用開口部
２４ｂ  弾性部材
２７  位置決め板
２７ｂ  位置決め溝
３５、３５Ａ  引き違い戸
５０Ａ  上部暗証番号錠
５０Ｂ  下部暗証番号錠
５２Ａ  施錠部材部
６０、７０、８０、９０    防犯戸システム
６１、６２、７１、７２  戸
６４  枠体
６８、６９  ロック用部材受部
７３  施錠手段
７３ａ  操作部
８１  ドア
８２  ドア外枠
８４  デッドボルト
８４ｂ  ノブ
８６  受座
８７  昇降装置
９１  外側ドア
９２  ドア外枠
９３  第１の施錠手段
９９  開口部
１０１  内側ドア
１０３  第２の施錠手段
【図１】
0003107139.tif 000003
【図２】
0003107139.tif 000004
【図３】
0003107139.tif 000005
【図４】
0003107139.tif 000006
【図５】
0003107139.tif 000007
【図６】
0003107139.tif 000008
【図７】
0003107139.tif 000009
【図８】
0003107139.tif 000010
【図９】
0003107139.tif 000011
【図１０】
0003107139.tif 000012
【図１１】
0003107139.tif 000013
【図１２】
0003107139.tif 000014
【図１３】
0003107139.tif 000015
【図１４】
0003107139.tif 000016